【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
第１のモル量の少なくとも１つの第１の還元性金属イオンと、第２のモル量の少なくとも１つのランタニド金属またはランタニドのイオンを含む少なくとも１つの第２の金属または金属イオンと、を含む、少なくとも１つの組成物を提供することであって、前記少なくとも１つの第２の金属または金属イオンは、前記少なくとも１つの第１の還元性金属イオンとは原子番号が異なる、提供することと、
前記少なくとも１つの第１の還元性金属イオンを、第１の瞬間モル率で少なくとも１つの第１の金属ナノワイヤに還元しながら、同時に一酸化窒素を第２の瞬間モル率で副生成することと、を含み、
前記第２の瞬間モル率と前記第１の瞬間モル率との比率は、第３のモル量の前記少なくとも１つの第１の還元性金属イオンを、第４のモル量のＣｕ２＋イオンの存在下で還元する場合の、一酸化窒素の副生成の前記瞬間モル率と少なくとも１つの第１の還元性金属イオンの還元の前記瞬間モル率との最大比率の１５％未満であり、前記第３のモル量と前記第４のモル量との比率は、前記第１のモル量と前記第２のモル量との比率と同じものであり、反応条件は、それ以外は前記第１のモル量の還元および前記第３のモル量の還元の場合と同じである、方法。
【請求項２】
第１のモル量の少なくとも１つの第１の還元性金属イオンと、第２のモル量の少なくとも１つのランタニド金属またはランタニドのイオンを含む少なくとも１つの第２の金属または金属イオンと、を含む、少なくとも１つの組成物を提供することであって、前記少なくとも１つの第２の金属または金属イオンは、前記少なくとも１つの第１の還元性金属イオンとは原子番号が異なる、提供することと、
前記少なくとも１つの第１の還元性金属イオンを、第１の瞬間モル率で少なくとも１つの第１の金属ナノワイヤに還元しながら、同時に一酸化窒素を第２の瞬間モル率で副生成することと、を含み、
前記第２の瞬間モル率と前記第１の瞬間モル率との比率は、第３のモル量の前記少なくとも１つの第１の還元性金属イオンを、第４のモル量のＦｅ２＋イオンの存在下で還元する場合の、一酸化窒素の副生成の前記瞬間モル率と少なくとも１つの第１の還元性金属イオンの還元の前記瞬間モル率との最大比率の４０％未満であり、前記第３のモル量と前記第４のモル量との比率は、前記第１のモル量と前記第２のモル量との比率と同じものであり、反応条件は、それ以外は前記第１のモル量の還元および前記第３のモル量の還元の場合と同じである、方法。
【請求項３】
第１のモル量の少なくとも１つの第１の還元性金属イオンと、第２のモル量の少なくとも１つのランタニド金属またはランタニドのイオンを含む少なくとも１つの第２の金属または金属イオンと、を含む、少なくとも１つの組成物を提供することであって、前記少なくとも１つの第２の金属または金属イオンは、前記少なくとも１つの第１の還元性金属イオンとは原子番号が異なる、提供することと、
前記少なくとも１つの第１の還元性金属イオンを、第１の瞬間モル率で少なくとも１つの第１の金属ナノワイヤに還元しながら、同時に一酸化窒素を第２の瞬間モル率で副生成することと、を含み、
前記第２の瞬間モル率と前記第１の瞬間モル率との比率は、第３のモル量の前記少なくとも１つの第１の還元性金属イオンを、第４のモル量のＳｎ２＋イオンの存在下で還元する場合の、一酸化窒素の副生成の前記瞬間モル率と少なくとも１つの第１の還元性金属イオンの還元の前記瞬間モル率との最大比率の１０％未満であり、前記第３のモル量と前記第４のモル量との比率は、前記第１のモル量と前記第２のモル量との比率と同じものであり、反応条件は、それ以外は前記第１のモル量の還元および前記第３のモル量の還元の場合と同じである、方法。
【請求項４】
第１のモル量の少なくとも１つの第１の還元性金属イオンと、第２のモル量の少なくとも１つのランタニド金属またはランタニドのイオンを含む少なくとも１つの第２の金属または金属イオンと、を含む、少なくとも１つの組成物を提供することであって、前記少なくとも１つの第２の金属または金属イオンは、前記少なくとも１つの第１の還元性金属イオンとは原子番号が異なる、提供することと、
前記少なくとも１つの第１の還元性金属イオンを、第１の瞬間モル率で少なくとも１つの第１の金属ナノワイヤに還元しながら、同時に一酸化窒素を第２の瞬間モル率で副生成することと、を含み、
前記第２の瞬間モル率と前記第１の瞬間モル率との比率は、第３のモル量の前記少なくとも１つの第１の還元性金属イオンを、第４のモル量のＭｎ２＋イオンの存在下で還元する場合の、一酸化窒素の副生成の前記瞬間モル率と少なくとも１つの第１の還元性金属イオンの還元の前記瞬間モル率との最大比率の１０％未満であり、前記第３のモル量と前記第４のモル量との比率は、前記第１のモル量と前記第２のモル量との比率と同じものであり、反応条件は、それ以外は前記第１のモル量の還元および前記第３のモル量の還元の場合と同じである、方法。
【請求項５】
第１のモル量の少なくとも１つの第１の還元性金属イオンと、第２のモル量の少なくとも１つのランタニド金属またはランタニドのイオンを含む少なくとも１つの第２の金属または金属イオンと、を含む、少なくとも１つの組成物を提供することであって、前記少なくとも１つの第２の金属または金属イオンは、前記少なくとも１つの第１の還元性金属イオンとは原子番号が異なる、提供することと、
前記少なくとも１つの第１の還元性金属イオンを、第１の瞬間モル率で少なくとも１つの第１の金属ナノワイヤに還元しながら、同時に一酸化窒素を第２の瞬間モル率で副生成することと、を含み、
前記第２の瞬間モル率と前記第１の瞬間モル率との比率は、第３のモル量の前記少なくとも１つの第１の還元性金属イオンを、第４のモル量のＣｒ３＋イオンの存在下で還元する場合の、一酸化窒素の副生成の前記瞬間モル率と少なくとも１つの第１の還元性金属イオンの還元の前記瞬間モル率との最大比率の１５％未満であり、前記第３のモル量と前記第４のモル量との比率は、前記第１のモル量と前記第２のモル量との比率と同じものであり、反応条件は、それ以外は前記第１のモル量の還元および前記第３のモル量の還元の場合と同じである、方法。
【請求項６】
前記少なくとも１つの第１の還元性金属イオンは、少なくとも１つのＩＵＰＡＣ  Ｇｒｏｕｐ１１からの元素のイオンを含む、請求項１〜５のいずれか１項に記載の方法。
【請求項７】
前記少なくとも１つのランタニド金属またはランタニドのイオンは、ランタン、ランタンのイオン、セリウム、セリウムのイオン、プラセオジム、プラセオジムのイオン、ネオジム、ネオジムのイオン、サマリウム、サマリウムのイオン、ユーロピウム、ユーロピウムのイオン、ガドリニウム、ガドリニウムのイオン、テルビウム、テルビウムのイオン、ジスプロシウム、ジスプロシウムのイオン、ホルミウム、ホルミウムのイオン、エルビウム、エルビウムのイオン、ツリウム、ツリウムのイオン、イッテルビウム、イッテルビウムのイオン、ルテチウム、またはルテチウムのイオンのうちの１つ以上を含む、請求項１〜６のいずれか１項に記載の方法。
【請求項８】
前記少なくとも１つの金属ナノワイヤは、約１０ｎｍ〜約５００ｎｍの平均直径と、約５０〜約１０，０００のアスペクト比と、を含む、請求項１〜７のいずれか１項に記載の方法。
【請求項９】
前記少なくとも１つの第１の金属ナノワイヤは、少なくとも１つの銀ナノワイヤを含む、請求項１〜８のいずれか１項に記載の方法。
【手続補正２】
【補正対象書類名】明細書
【補正対象項目名】発明の名称
【補正方法】変更
【補正の内容】
【発明の名称】ナノワイヤ調製方法